(57)【特許請求の範囲】
【請求項１】
加入者のディジタルラジオ装置への無線通信ネットワークを経由して使用するための、サービス提供側によって提供される、サービス提供側のプログラムが可能なラジオ加入聴取システムにおいて、
前記無線通信ネットワークを経由してディジタルオーディオデータを操作し且つ送信するためのコンピュータシステムを有するメインコントロールユニットであって、前記プログラムが可能なラジオ加入聴取システムを加入者のデータ入力によって動作させるためのコントロールプログラムを記憶するメモリを有するメインコントロールユニットと、
前記メインコントロールユニットに接続され、オーディオ内容を記憶する加入聴取内容データベースであって、加入者はデータ入力によって前記オーディオ内容をプログラム可能に選択し、加入者が定める固有のプレイリストを作成する加入聴取内容データベースと、
各加入者を識別するデータと前記各加入者に関連する各固有のプレイリストを識別する関連データと、前記加入聴取内容データベースで作成された前記各固有のプレイリストとを記憶する、前記メインコントロールユニットに接続された加入者データメモリと、
を有し、
前記メインコントロールユニットは、加入者からの要求に対応して前記加入者データメモリを参照することで、前記要求に示される加入者を識別するデータと、当該加入者に関連する固有のプレイリストを識別する関連データとを照合し、照合された関連データに対応するプレイリストを前記加入者データメモリから取り出し、取り出されたプレイリストを当該加入者に前記無線通信ネットワークを経由して送信する、前記サービス提供側のラジオ加入聴取システム。
【請求項２】
請求項１に記載のプログラムが可能なラジオ加入聴取システムにおいて、
ネットワークベースの見出しを付けられたニュースサービスに接続された通信リンクを更に有し、前記加入聴取内容データベースは複数のキーワードを更に有し、加入者は前記複数のキーワードを選択して該ネットワークベースの見出しを付けられたニュースサービスの内容にアクセスし、選択されたキーワードに対応する見出しを付けられたニュースサービスの内容を加入者が定めるプレイリストに含めることができることを特徴とするラジオ加入聴取システム。
【請求項３】
請求項１に記載のプログラムが可能なラジオ加入聴取システムにおいて、
前記オーディオデータ内容が、音楽、オーディオ文学およびニュースの少なくともいずれか１つであることを特徴とするラジオ加入聴取システム。
【請求項４】
請求項１に記載のプログラムが可能なラジオ加入聴取システムにおいて、
前記ラジオ加入聴取システムは、加入者から入力されるプレイリストのプログラムを受信するための無線通信ネットワークリンクをさらに含むことを特徴とするラジオ加入聴取システム。
【請求項５】
請求項１に記載のプログラムが可能なラジオ加入聴取システムにおいて、
前記ラジオ加入聴取システムは、加入者から入力されるプレイリストのプログラムを受信するための通信ネットワークリンクをさらに含むことを特徴とするラジオ加入聴取システム。
【発明の詳細な説明】
【０００１】
【発明の属する技術分野】
本発明は、ディジタルラジオ放送を受信するのに使用できるディジタルラジオに関する。より詳細には、本発明は、加入者が受信するディジタルラジオ放送の内容をかかる内容についてのデータベースに記憶された内容から加入者自身が選択することにより決定し確定するようにしたものである。
【０００２】
【従来の技術および発明が解決しようとする課題】
一般にラジオとは、その受信範囲内にある１つまたは複数のラジオ局から放送された娯楽番組やニュース番組を受信することができる装置である。各ラジオ局は、通常、所定のスケジュールにしたがって多種多様な番組を放送している。例えば、たいていのラジオ局は、午前および午後の放送の一部としてニュースを含めるようにしている。また、ラジオ局は１つまたは複数の一般のまたは特定の興味ある分野に力を入れているのが一般的である。例えば、あるラジオ局は１日２４時間ニュースだけを提供するのに専念しており、また別のラジオ局はクラシック音楽やロックンロールのような特定の種類の音楽を提供するのに専念している。巨大都市圏においては、広範囲の興味分野についての要求を満たす非常に多くのラジオ局が共存しているのが通常である。しかしながら、ラジオの聴取者は、放送の内容に対してほとんどあるいは全く関与することができない。そこで、聴取者の要望に応じた番組を作成するために、多くのラジオ局は音楽のリクエストサービスを行なっており、聴取者は指定された番号に電話をかけて希望する曲が演奏されるようにリクエストすることができる。しかしながら、このようなやり方には、多くの点において問題がある。第一に、多数の聴取者が電話でリクエストするために、ラジオ局と連絡をとるのがしばしば難しく且つ不便である。第二に、例えば聴取者が自動車で旅行しているときなどは、聴取者はラジオ局と連絡をとることができないことがある。第三に、聴取者はリクエストされた曲がいつ演奏されるかを決めることができない。なぜなら、リクエストされた曲は、通常の場合、単に受付順に並べられるに過ぎないからである。従って、聴取者は、リクエストをしてから長時間しないと演奏されないかもしれない曲をリクエストすることになるかもしれないのである。
【０００３】
音楽セレクションをリクエストするのとは異なり、ラジオの聴取者はラジオ局が放送するニュース番組の内容について関与することは全くできない。もし聴取者が特定の出来事についてのニュースや特定のトピックに関するニュースを聞きたいと思った場合、聴取者は所望のニュース情報を捜し出すために多くのラジオ放送を手動により調べてチェックするという労力を払わなければならないことがしばしばある。この問題は、聴取者がその居住地のローカルラジオ局の放送範囲外を旅行しているときには聴取者をいらだたせるものである。すなわち、このような場合、旅行中の聴取者は自分が旅行しているエリアのローカルニュースしか聞くことができないことがあり、そのようなニュースは聴取者にはほとんどあるいは全く興味がない場合がある。さらに、例えばオーディオ文学作品（audio literary works）のようないくつかのオーディオ情報はラジオ放送の形態では簡単に入手できるものではない。
【０００４】
従って、聴取者のラジオに直接送信される、つまり聴取者のラジオに受信される放送の内容または主題を聴取者が選択的に前もって決めておくことができるようにしておくことが望ましいものと考えられる。さらに、再生または受信のために聴取者のラジオに送信される、特定の前もって決められた放送を聴取者が選択することができるようにしておくことが望ましいものと考えられる。
【０００５】
【課題を解決するための手段】
上で議論した不利益や限界は本発明により克服することができる。本発明のラジオ加入聴取システムにより、加入者は後で加入者のラジオに送信される１つまたは複数のプレイリスト（放送予定表：playlist）を遠隔的に定義し且つ識別することが可能であり、各プレイリストは加入聴取内容のデータベースから加入者によって選択された情報内容を有している。また、このラジオ加入聴取システムにより、加入者は特定のプレイリストが再生のために加入者のラジオに送信されるように遠隔的に要求することができる。
【０００６】
本発明は、加入聴取制御システムの動作を制御し且つ加入者との遠隔的な相互通信および１つまたは複数のディジタルラジオとの無線ディジタル通信に使用できるメインコントロールユニットと、加入者によって選択されたオーディオ情報を記憶するための加入聴取内容データベースと、１または複数人の特定加入者を表すデータおよび各特定加入者と関連付けられた１または複数のプレイリストを表すデータを記憶するための加入者データメモリとを有する加入聴取制御システムを含んでいる。また、本発明は、ディジタルラジオの動作を制御し且つ加入聴取制御システムとの無線ディジタル通信に使用できるラジオコントロールユニットと、加入聴取制御システムへ送信されるデータを入力するためのデータ入力装置と、加入聴取制御システムから受信した被送信データを記憶するデータ記憶装置とを有するディジタルラジオを含んでいる。
【０００７】
本発明によると、加入者は遠隔的に加入聴取制御システムに接続して、１または複数のプレイリストを選択的に定めまたは編集することができる。プレイリストとは、音楽セレクション、ニュースおよび文学的なオーディオ作品のようなオーディオ情報の１または複数の項目の集合体である。遠隔接続はインターネットのようなデータネットワークを介して確立されるのが望ましく、これによると加入者はモデムを装備したコンピュータを用いて加入聴取制御システムと相互通信することができる。また、遠隔通信は音声電話ネットワークを介して確立されてもよく、この場合、加入者はプッシュフォン式の電話またはこれと同様なものを用いて加入聴取制御システムと相互通信することができる。
【０００８】
加入聴取制御システムに接続されると、加入者が自己に特有の加入者識別（ＩＤ）コードを送信し、これにより加入者が加入聴取制御システムに識別される。しかる後、加入者は新しいプレイリストを特有のプレイリスト識別（ＩＤ）コードと同定し、加入聴取内容データベースからプレイリスト内容を選択する。加入聴取内容データベースは、各セレクションを加入者が容易に捜し出すことができるように、セレクション名、演奏しているアーティストおよび音楽ジャンルによって編集され相互参照された多数の音楽セレクションを含んでいることが好ましい。また、加入聴取内容データベースは、題名、著作者および／または主題または話題によって編集され相互参照された多数のオーディオ文学作品を含んでいることが好ましい。加入聴取内容データベースに記憶される音楽セレクションおよびオーディオ文学作品の量および数は、当該データベースの記憶容量のみによって制限される。
【０００９】
もし加入者が定義されるプレイリストの一部にニュースセレクションを含めたいときには、加入者は加入聴取内容データベースからニューストピックを示す１または複数の既定のキーワードを選択して、プレイリストに含めるようにしてもよい。例えば、もし野球についてのニュースが欲しければ加入者は”ＢＡＳＥＢＡＬＬ”というキーワードを選択することができ、もし加入者がフランスについてのニュースに興味があるのであれば”ＮＥＷＳ：ＦＲＡＮＣＥ”というキーワードを選択するようにしてもよい。また、加入者は既存のキーワードを選択する代わりに特定のニューストピックを示す１または複数のキーワードを直接的にキー・インすなわち入力するようにしてもよい。プレイリストが完成すると、プレイリストＩＤコードが加入者ＩＤコードと関連付けられ、プレイリストは加入者データメモリに記憶される。さらに、加入者は別のプレイリストを定義したり、既存のプレイリストの内容を編集したり、既存のプレイリストを削除してもよい。
【００１０】
加入者は、加入者データメモリに少なくとも１つのプレイリストが記憶された後はいつでも、ディジタルラジオから加入聴取制御システムに加入者ＩＤコードおよびプレイリストＩＤコードを送信することにより、遠隔的に特定のプレイリストを取り出すようにしてよい。加入者ＩＤコードおよびプレイリストＩＤコードを受信すると、メインコントロールユニットは受信した加入者ＩＤコードを加入者データメモリに記憶されている加入者ＩＤコードと照合し、受信したプレイリストＩＤコードに応じたプレイリストを選択する。そして、メインコントロールユニットは、既定の内容に従って、加入聴取制御データベースからプレイリストを組み立てる。もしニュースセレクションがプレイリストに含まれていれば、メインコントロールユニットは見出しを付けられたニュースサービスに接続して、プレイリストで定められた１または複数のキーワードに従ってニュースセレクションを取り出す。その後、完成したプレイリストはディジタルラジオに送信され、オーディオ出力装置による後の再生のためにデータ記憶装置に記憶される。また、プレイリストは加入聴取制御システムから受信したままですぐに再生されるようにしてもよい。
【００１１】
本発明のそのほかの目的および特徴は、添付図面とともに考慮される以下の詳細な説明によって明らかとなるであろう。しかしながら、添付図面は説明だけを目的として描かれたものであり、本発明の範囲を定めるものではなく、本発明の範囲は特許請求の範囲を参照して定められるものであることはいうまでもない。
【００１２】
【発明の実施の形態】
本発明をラジオ加入聴取システムの特定の実施の形態について説明するが、本発明のラジオ加入聴取システムは、ビデオまたは他の放送形態の内容を選択的に定めるために容易に適合させることが可能であることは理解されるべきである。例えば、プレイリストは音楽ビデオおよび／または映画のようなビデオセレクションを含んでいてもよく、ディジタルラジオはビデオプレイリストの再生または受信のためのビデオ出力装置を装備していてもよい。これらの変形例はすべて本発明の範囲内に含まれるものである。また、図面中において、無線送受信装置は、周知であり且つラジオ受信および放送システムにおいて通常使用されているものであるため、詳細には描かれていない。
【００１３】
まず、図１には、加入聴取制御システム１０が描かれている。加入聴取制御システム１０は、無線ディジタル通信リンク１４を介して、少なくとも１つのディジタルラジオ１２と好ましくは接続されている。通信リンク１４は、好ましくはセルラー通信ネットワークであるが、代替的には、いかなる無線（または有線）データ通信媒体であってもよい。加入聴取制御システム１０は、加入聴取制御システム１０の動作を制御するためのメインコントロールユニット１６を含んでいる。メインコントロールユニット１６は、好ましくは、ディジタルオーディオデータを操作し且つ送信するために構成されたコンピュータシステムおよびその関連部品である。つまり、メインコントロールユニット１６は、通信リンク１４を介してデータを送受信するためのディジタルラジオ送受信機（図示せず）を含んでいるかこれと接続されている。また、メインコントロールユニット１６は、加入者と相互に通信するための通信ネットワーク２２に接続された通信装置およびインタラクティブなインターフェイスを含んでいる。メインコントロールユニット１６の通信装置は好ましくはモデムであり、加入者は別のモデムを装備した（加入者にとって）ローカルなコンピュータシステムでそのモデムに接続してもよい。また、インタラクティブなインターフェイスは、好ましくは、例えばインターネットのワールド・ワイド・ウェブ（World Wide Web）のページのようなグラフィカル・ユーザ・インターフェイスである。また、通信装置は、代替的には、インタラクティブなオーディオメニュー式のインターフェイスを用いたプッシュホン式電話のようなものであってもよい。加入者とメインコントロールユニット１６との間のインタラクティブな通信は、図２と関連してより詳細に後述される。
【００１４】
また、加入聴取制御システム１０は、加入者によって選択されるオーディオ情報を記憶するとともに、例えば１または複数のニューストピックスに対応した１または複数のキーワードを記憶するための加入聴取内容データベース１８を含んでいる。加入聴取内容データベース１８に記憶されたオーディオ情報は、好ましくは、セレクション名、演奏アーティスト名および音楽のジャンルによって編集され相互参照された音楽セレクションと、トピック、題名および著作者によって編集されたオーディオ文学作品と、トピック、題名および著作者によって編集された教育目的および自己修養目的のセレクションとを含んでいるが、オーディオ情報はこれらに限られるものではない。加入聴取内容データベース１８に記憶される音楽セレクションや教育目的のセレクションおよびオーディオ文学作品の量や数は、当該データベースの記憶容量のみによって制限されるものである。メインコントロールユニット１６は好ましくは見出しを付けられたニュースサービス２４に接続されており、これにより、加入聴取内容データベース１８に記憶された１または複数のキーワードを用いて特定のオーディオニュースセレクションをトピックに応じて選択的に取り出してもよい。
【００１５】
さらに、加入聴取制御システム１０は、１人または複数人の特定加入者を識別するデータと、１または複数のプレイリストを表すデータとを記憶するための加入者データメモリ２０を含んでいる。ここで、プレイリストは、それぞれが特定加入者と関連付けられており、加入聴取内容データベース１８からのオーディオ情報および／または後で加入者が取り出すときのために印を付けられたニュースサービス２４からのニュース情報に対応している。
【００１６】
ディジタルラジオ１２は、通常は加入者の敷地すなわち居住地である聴取場所にローカルに位置しており、ディジタルラジオ１２の動作を制御するためのラジオコントロールユニット２６を含んでいる。ディジタルラジオ１２は、携帯用のラジオや車載用ラジオまたはラック・ステレオ用のコンポーネントであってもよい。ラジオコントロールユニット２６は、好ましくは、ディジタルオーディオデータを受信且つ処理するとともに非オーディオディジタルデータを送信するように構成されたマイクロプロセッサを基にした装置である。また、ラジオコントロールユニット２６は、通信リンク１４を介して、ディジタルオーディオデータを受信するとともにディジタル非オーディオデータを送信するディジタルラジオ送受信機（図示せず）を含んでいるか、またはこれと関連付けられている。
【００１７】
また、ディジタルラジオ１２は、メインコントロールユニット１６に送信する非オーディオディジタルデータを入力する手段を加入者に提供するデータ入力装置２８を含んでいる。データ入力装置２８は好ましくは文字数字式のキーパッドであるが、音声情報を受信且つ通訳する音声認識システムであってもよい。データ記憶装置３０は、再生の前にメインコントロールユニット１６から受信したディジタルオーディオデータを記憶するために備えられている。データ記憶手段３０は好ましくはディジタルオーディオデータを記憶するためのコンピュータメモリである。また、オーディオ出力装置３２は、データ記憶手段３０に記憶されたディジタルオーディオデータを再生するために設けられている。オーディオ出力装置３２は好ましくは１つまたは複数個のオーディオスピーカーと適当なアンプであるが、一組のヘッドフォンであってもよい。
【００１８】
図１にはディジタルラジオ１２が１つだけ描かれているが、２つ以上のディジタルラジオをそれぞれの通信リンク１４を介して加入聴取制御システム１０に接続することが可能であることは勿論である。実際問題としては、加入聴取制御システム１０に同時に接続できるであろうディジタルラジオの数の最大値は、通信リンク１４の帯域幅、並びに、メインコントロールユニット１６の処理能力およびスループットのみによって制限される。
【００１９】
本発明のシステムの動作は、通常、メインコントロールユニット１６のメモリ３４に記憶されたコントロールプログラムによって制御され、メインコントロールユニット１６のオペレーションを通して実行される。このコントロールプログラムは、例えば多重集積プログラムモジュールから成っている。その各モジュールはメインコントロールユニット１６の１または複数の機能を適切に制御する役割を有している。例えば、あるプログラムモジュールはメインコントロールユニット１６と遠隔的に結ばれた加入者によるプレイリストの生成を制御してもよく、また別のプログラムモジュールは特定の加入者に送信される特定のプレイリストの組み立てを制御してもよい。実際には、プログラムモジュールのそれぞれは、メインコントロールユニット１６の特定の機能又は機能の組に特化したコントロールプログラムである。本発明のコントロールプログラムの２つのメインモジュールについて、図２および図３を参照しつつ以下に説明する。図２に示された第１のプログラムモジュールは、メインコントロールユニット１６によって実行されるものであり、メインコントロールユニット１６と遠隔的に結ばれた加入者による新しいプレイリストの構成および既存のプレイリストの編集を制御する。図３に示された第２のプログラムモジュールは、メインコントロールユニット１６およびラジオコントロールユニット２６によって実行されるものであり、要求されたプレイリストの組み立て、加入者への送信および再生を制御する。
【００２０】
図２に示されているように、第１のプログラムモジュールはステップ１００から動作を開始し、次に、加入者が通信リンク１４およびネットワーク２２を介してメインコントロールユニット１６のユーザインターフェイスに接続するステップ１０２に進む。上述したように、ユーザインターフェイスはグラフィカルインターフェイスであることが好ましく、これにより加入者はメインコントロールユニット１６と視覚的に相互接続することができるようになる。それから、ステップ１０４において、加入者は加入者識別（ＩＤ）コードを送信し、それがメインコントロールユニット１６に受信される。加入者ＩＤコードは各加入者に特有のコードであって、加入者が本発明のシステムに加入する際に当該システムによって割り当てられ、メインコントロールユニット１６が個々の加入者を識別できるようにするものである。テストステップ１０６においては、加入者は新しいプレイリストを生成するかどうかを問われる。もし新しいプレイリストが生成されるのであれば、メインコントロールユニット１６は、ステップ１０８へと進み、そこで加入者は生成されるプレイリストを識別するプレイリスト識別（ＩＤ）コードを入力する。プレイリストＩＤコードは、プレイリストの内容を表すものであることが好ましい。例えば、プレイリストがモーツアルトのクラシック音楽セレクションであれば、プレイリストＩＤコードは”ＭＯＺＡＲＴ”というように割り当てられてよい。また、プレイリストＩＤコードは、加入者によって選択された、プレイリストの内容と関係のない数字や他の文字の組であってもよい。ステップ１１０において、加入者は加入聴取内容データベース１８からプレイリスト内容を選択する。ある一つのプレイリストは、純粋な音楽セレクション、オーディオ文学作品、教育的セレクション、ニュースキーワード、あるいはこれらのいかなる組合せからなるものであってもよい。例えば、あるプレイリストは３つのクラシック音楽セレクションと１つのオーディオ短編小説を含んでいてもよく、別のプレイリストは黒人音楽セレクションと”ＢＡＳＥＢＡＬＬ”というニュースキーワードを含んでいてよい。また、ユーザは、加入聴取内容データベース１８に現存するものではない新しいキーワードを、プレイリストにキー・インすなわち入力することも可能である。キーワードは好ましくは例えば５分間または１０分間のニュースのような所定の長さのニュースセレクションを定義するものである。また、本発明のシステムは、加入者による選択の便のためにトピック、アーティスト、またはジャンルによって配列された所定のプレイリストＩＤコードを有する既定のプレイリストの組を含んでいてもよい。例えば、システムによって定められたプレイリストとして、その週の上位１０曲のロックンロールソングを含むようにしてもよい。このように、ステップ１１０では、加入者が定めるプレイリストを生成する代わりにまたはそれに加えて、加入者が１つまたは複数の既定のプレイリストを選択するようにしてもよい。
【００２１】
各プレイリストの許容される大きさは、メインコントロールユニット１６によって前もって定められており、これは一般的にメインコントロールユニット１６の処理能力とデータ記憶装置３０の記憶容量とに比例している。加入聴取内容データベース１８に記憶される実際のセレクションの内容は、この段階では取り出されていない、すなわちプレイリストの一部とはなっていない。ただ、加入者によって作成されたセレクションを表すつまりこれと同定されるデータだけが実際には記憶されている。つまり、プレイリストは、加入聴取内容データベース１８に記憶された、ユーザが選択した４つのクラシック音楽の一節すなわち断片を表すつまりこれと同定される４つの数字コードを単に含んでいてもよい。このようなやり方は、記憶されるオーディオデータの不要な重複を回避することができる点において好ましい。
【００２２】
ステップ１１４において、新しく生成されたプレイリストのプレイリストＩＤコードは、加入者ＩＤコードと関連付けられて加入者データメモリ２０に記憶される。従って、加入者ＩＤコードは、いかなるときにおいても、１または複数の関連付けられたプレイリストを有している。その後、メインコントロールユニット１６は、テストステップ１０６に戻り、ほかのプレイリストがこの機会に生成されるかが定められる。
【００２３】
もしテストステップ１０６において新たなプレイリストが生成されないのであれば、メインコントロールユニット１６はテストステップ１１６に進み、既存のプレイリストを編集するかどうかを加入者に尋ねる。もし既存のプレイリストが編集されるのであれば、ステップ１１８において、加入者は自分の加入者ＩＤコードと関連付けられた既存のプレイリスト群から編集すべきプレイリストを選択する。そして、選択されたプレイリストは、メインコントロールユニット１６によって加入者データメモリ２０から取り出される。ステップ１２０では、加入者は、プレイリスト中において定められたセレクションおよび／またはニュースキーワードを取り除いたりあるいは修正することにより、および／または、例えば加入聴取内容データベース１８から取り出された新しいセレクションおよび／またはニュースキーワードを加えることにより、選択されたプレイリストを編集する。なお、ステップ１２０において、加入者が選択されたプレイリストを削除するようにしてもよい。ステップ１２２において、更新されたプレイリストは加入者データメモリ２０に記憶され、メインコントロールユニット１６はテストステップ１１６に戻って、他の現存するプレイリストを編集するかどうかを加入者に尋ねる。もしテストステップ１１６で編集されるプレイリストがない場合には、メインコントロールユニット１６はステップ１２４において第１のプログラムモジュールを終了させる。つまり、第１のプログラムモジュールにより、加入者は、加入者のディジタルラジオ１２に送信される１または複数のプレイリストの内容を遠隔的に定義しかつ選択することが可能となる。
【００２４】
図３に示されているように、第２のプログラムモジュールはステップ１５０から動作を開始し、次に、加入者が現存するプレイリストＩＤコードをデータ入力装置２８を用いて選択するステップ１５２に進む。ステップ１５４では、ラジオ制御ユニット２６が加入者ＩＤコードおよび選択されたプレイリストＩＤコードをメインコントロールユニット１６に送信する。メインコントロールユニット１６は、ステップ１５６では、受信した加入者ＩＤコードと加入者データメモリ２０に記憶された加入者ＩＤコードとを照合し、ステップ１５８では、受信したプレイリストＩＤコードに対応するプレイリストを取り出す。ステップ１６０において、メインコントロールユニット１６は、加入聴取内容データベース１８からおよびもしプレイリスト中にキーワードがあればニュースサービス２４から適当なセレクションを取り出してプレイリストを組み立てる。組み立てられたプレイリストは、データ送信中のプレイリストの大きさを減少させるために圧縮（compress）することが望ましい。ステップ１６２において、組み立てられたプレイリストは、通信リンク１４を介してメインコントロールユニット１６から加入者のラジオコントロールユニット２６に送信される。ステップ１６４において、受信されたプレイリストは伸長（decompress）され、後での再生のための加入者のデータ記憶装置３０内に記憶される。ステップ１６６において、加入者は記憶されたプレイリストのすべてまたはその一部を選択的に演奏してもよい。もしラジオコントロールユニット２６の処理能力が十分なものであれば、メインコントロールユニット１６から受信したプレイリストを伸長しさらにそのまま再生するようにしてもよい。その後、メインコントロールユニット１６はステップ１６８において第２のプログラムモジュールを終了させる。従って、この第２のプログラムモジュールにより、加入者は、図２の第１のプログラムモジュールを用いて加入者により定められたプレイリストを選択的かつ遠隔的に受信することができるようになる。
【００２５】
以上、好適な実施の形態に適用した場合の本発明の基本的な新規な特徴を詳述し且つ指摘したが、当業者は本発明の趣旨から離れることなく、図示された装置の形式や細部および動作についての種々の省略、置換、変更が可能である。例えば、同じ結果をもたらすように実質的に同じやり方で実質的に同じ機能を実行する要素および／または方法の段階のすべての組合せが本発明の範囲内であることは明確に意図されている。よって、本発明は特許請求の範囲のみによって限定されるものと解釈されるべきである。
【００２６】
【発明の効果】
以上説明したように、本発明によると、加入者が受信するディジタルラジオ放送の内容をかかる内容についてのデータベースに記憶された内容等から加入者自身が選択することにより決定し確定するようにすることが可能となる。
【図面の簡単な説明】
【図１】  加入者のディジタルラジオにより選択的な受信を行うディジタルラジオ放送の内容を定義するための本発明のラジオ加入聴取システムの概略的なブロック図である。
【図２】  本発明に従い図１のシステムの機能的な動作を描いた論理流れ図である。
【図３】  本発明に従い図１のシステムの機能的な動作を描いた論理流れ図である。
【符号の説明】
１０  加入聴取制御システム、１２  ディジタルラジオ、１４  通信リンク、１６  メインコントロールユニット、１８  加入聴取内容データベース、２０  加入者データメモリ、２２  通信ネットワーク、２４  ニュースサービス、２６ラジオコントロールユニット、２８  データ入力装置、３０  データ記憶装置、３２  オーディオ出力装置、３４  メモリ。
【図１】
0003995764.tif 000002
【図２】
0003995764.tif 000003
【図３】
0003995764.tif 000004